(57)【要約】      （修正有）【課題】瓦葺き屋根に太陽光パネルを取り付けるための架台を簡易な構成で確実に支持することができる太陽光パネルの支持金具を提供する。【解決手段】屋根上に設置される太陽光パネルを固定するための架台を支持する太陽光パネルの支持金具１であって、架台２００を受けて固定する架台受け５０と、屋根の下地Ｗに固定されて架台受けを支持する支持部１０と、からなり、架台受けは、底面板部５１と、底面板部の一辺から上方に立ち上がる側面板部５２とで略Ｌ字状に形成されており、このような構成によって架台の底面及び側面を支持及び固定することができる。【選択図】図１
0003189753.tif 000002
【実用新案登録請求の範囲】
【請求項１】
屋根上に設置される太陽光パネルを固定するための架台を支持する太陽光パネルの支持金具であって、
前記架台を受けて固定する架台受けと、
前記屋根の下地に固定されて該架台受けを支持する支持部と、からなり、
前記架台受けは、前記架台の底面及び一方の側面を支持及び固定するように形成されていることを特徴とする太陽光パネルの支持金具。
【請求項２】
前記支持部の端部には、内面に溝が形成されたボルト受けを有し、該ボルト受けに取付けられたボルトに前記架台受けを装着することを特徴とする請求項１記載の太陽光パネルの支持金具。
【請求項３】
前記架台受けは、底面板部と、該底面板部の一辺から上方に立ち上がる側面板部とから形成される略Ｌ字状であることを特徴とする請求項１または２記載の太陽光パネルの支持金具。
【請求項４】
前記架台受けの前記側面板部には、前記架台を固定するための固定部材がネジ止めされており、該固定部材を前記架台に設けられているレール溝に嵌挿させることで前記架台受けに前記架台を固定することを特徴とする請求項１から３のいずれか１項に記載の太陽光パネルの支持金具。
【考案の詳細な説明】
【技術分野】
【０００１】
本考案は、太陽光パネルを屋根に取付ける場合のおける架台を支持する太陽光パネルの支持金具に関する。
【背景技術】
【０００２】
従来、既築建物の屋根に太陽光パネルを後付する場合において、既設の屋根材を取り外して太陽光パネルの支持架台を取り付けるための固定具を取り付けることが行われている。例えば、屋根瓦に孔をあけて屋根下地材に固定した取付金具の支持ボルトを屋根表面に露出される技術が開示されており（特許文献１）、また、鋼板瓦に切欠き等を設けずに取付可能な取付金具が開示されている（特許文献２）。
【先行技術文献】
【特許文献】
【０００３】
【特許文献１】特開２００５−３１５０１８号公報
【特許文献２】特開平１０−２３１５９１号公報
【考案の概要】
【考案が解決しようとする課題】
【０００４】
しかしながら、特許文献１に記載されているように、屋根瓦に孔などを設けると、防水のためにシーリングを施す作業が必要であるという問題がある。また、特許文献２に記載の取付金具は、屋根瓦に加工を加える必要がないという反面、瓦の外側から固定するための構造が複雑になって、金具一つ当たりの製造コストがかさむという問題がある。さらに、下地材に固定金具を取り付ける場合には、固定部材が下地材の防水層などを突き破ってしまい、雨漏りの原因となる等のトラブルがあり、これらを回避するため、取付作業に慎重を期さなければならない。
従って、本考案の目的は、瓦葺き屋根に太陽光パネルを取り付けるための架台を簡易な構成で確実に支持することができる太陽光パネルの支持金具を提供することを目的とする。
【課題を解決するための手段】
【０００５】
上記課題を解決するため、本考案の太陽光パネルの支持金具は、屋根上に設置される太陽光パネルを固定するための架台を支持する太陽光パネルの支持金具であって、前記架台を受けて固定する架台受けと、前記屋根の下地に固定されて該架台受けを支持する支持部と、からなり、前記架台受けは、前記架台の底面及び一方の側面を支持及び固定するように形成されていることを特徴とする。
【０００６】
また、本考案の太陽光パネルの支持金具は、前記支持部の端部には、内面に溝が形成されたボルト受けを有し、該ボルト受けに取付けられたボルトに前記架台受けを装着することを特徴とする。
【０００７】
また、本考案の太陽光パネルの支持金具は、前記架台受けは、底面板部と、該底面板部の一辺から上方に立ち上がる側面板部とから形成される略Ｌ字状であることを特徴とする。
【０００８】
さらに、本考案の太陽光パネルの支持金具は、前記架台受けの前記側面板部には、前記架台を固定するための固定部材がネジ止めされており、該固定部材を前記架台に設けられているレール溝に嵌挿させることで前記架台受けに前記架台を固定することを特徴とする。
【考案の効果】
【０００９】
本考案は、以上のように構成することにより、太陽光パネルを固定するための架台の固定作業をきわめて簡易かつ容易に行うことができる。
【図面の簡単な説明】
【００１０】
【図１】本考案の太陽光パネルの支持金具の構成を示した分解斜視図である。
【図２】支持金具に架台を固定した状態を示した断面図である。
【図３】支持金具によって架台を支持した状態を示した斜視図である。
【考案を実施するための形態】
【００１１】
以下、図面を参照して本考案に係る太陽光パネルの支持金具について説明する。
図１は、本考案の太陽光パネルの支持金具の構成を示した分解斜視図であり、図２は、支持金具に架台を固定した状態を示した断面図であり、図３は、支持金具によって架台を支持した状態を示した斜視図である。
図示するように、支持金具１は、平板状で一方の端部に、内面に溝が形成されたボルト受け１１が一体的に設けられている支持部１０と、ボルト受け１１に螺合するボルト２０と、このボルト２０に固定されるスペーサ３０、ナット４０及び架台受け５０とから構成されている。
支持部１０には、複数の取付孔１０ａが設けられており、この取付孔１０ａにビス１００を挿通させて屋根の下地Ｗに固定することができる。スペーサ３０は、所望の厚さを有する円形状に形成されており、支持金具１の上に重なり合って設置される瓦との隙間を埋める。
【００１２】
架台受け５０は、底面板部５１の一辺から上方に立ち上がる側面板部５２によって略Ｌ字状に形成されている。底面板部５１にはボルト４０を挿通させる貫通孔５１ａを有し、側面板部５２には架台２００を固定するためのボルト６０を挿通させる長孔５２ａを有する。
この長孔５２ａは、側面板部５２の高さ方向にわたって長い形状をしており、外側の面からボルト６０を挿通させ、内側から架台を固定するための固定部材６１をボルト６０に装着させる。固定部材６１は板状であって、架台２００に形成されているレール２０１に嵌合することで架台受け５０に架台２００を固定することができる。
【００１３】
以下、動作を説明する。
まず、支持部１０のボルト受け１１に、予めスペーサ３０を挿通させたボルト２０を螺合させる。次に、ボルト２０にナット４０を挿通させ、架台受け５０の底面板部５１に有する貫通孔５１ａをボルト２０に挿通させる。そして、ワッシャー７０とナット８０とでボルト２０に架台受け５０を締結固定する。なお、ワッシャー７０の装着個数を変えることによりボルト２０の軸方向に対してのナット４０の装着位置（高さ）を変えることができることから、架台受け５０の側面板部５２に有する長孔５２ａの長さ方向の範囲内で架台２００の支持する高さを変えることが可能となる。さらに、架台受け５０の側面板部５２に有する長孔５２ａに対して、ボルト６０で固定部材６１を取り付ける。
以上のようにして支持金具が組み立てられる。
【００１４】
このようにして組み立てられた支持金具１に対して架台２００を支持させる場合には、図２に示すように、架台受け５０の側面板部５２に装着された固定部材６１を架台２００の両側面に設けられているレール溝２０１に嵌挿させる。これにより、固定部材６１が架台２００のレール溝２０１に嵌挿された状態で支持固定することができ、また、架台受け５０の底面板部５１から突出しているボルト２０及びナット４０で架台２００の底部を支持することができる。
【００１５】
また、支持金具１は、架台２００の一方の側面のみ支持及び固定することしかできないが、図３に示すように、架台２００の長手方向に対して一定の間隔を空けて両側面を交互に支持及び固定することにより、架台２００を容易にかつ、強固に固定することができる。
【符号の説明】
【００１６】
１    支持金具
１０    支持部
１１    ボルト受け
２０    ボルト
３０    スペーサ
４０、８０    ナット
５０    架台受け
５１    底面板部
５２    側面板部
６０    ボルト
６１    固定部材
７０    ワッシャー
１００    ビス
２００    架台
【図１】
0003189753.tif 000003
【図２】
0003189753.tif 000004
【図３】
0003189753.tif 000005